(57)【要約】【課題】  患部が手の届きにくく見えない場所にある場合でも、容易かつ正確に治療片を貼り付け得る治療片貼付具を提供する。【解決手段】  頭部１と握り柄部２とを備え、頭部１は、身体対応面１ａに治療片保持機構Ｍを有している。治療片保持機構Ｍは、中央部に配設される磁性部材３と、磁性部材３を囲むと共に上記身体対応面１ａに直交する前後方向へ移動可能として設けられる押し当て枠４と、を有している。また、押し当て枠４は、ベース部５と、ベース部５に開閉自在に取着される枠体６と、を有し、ベース部５と枠体６との間に治療片30の一部を挟持するように構成されている。【選択図】  図２
2006014915.tif 000002
【特許請求の範囲】
【請求項１】
頭部（１）と握り柄部（２）とを備え、
該頭部（１）は、身体対応面（１ａ）に治療片保持機構（Ｍ）を有し、
該治療片保持機構（Ｍ）は、中央部に配設される磁性部材（３）と、該磁性部材（３）を囲むと共に上記身体対応面（１ａ）に直交する前後方向へ移動可能として設けられる押し当て枠（４）と、を有していることを特徴とする治療片貼付具。
【請求項２】
上記押し当て枠（４）は、ベース部（５）と、該ベース部（５）に開閉自在に取着される枠体（６）と、を有し、
上記ベース部（５）と該枠体（６）との間に治療片（30）の一部を挟持するように構成した請求項１記載の治療片貼付具。
【請求項３】
上記治療片保持機構（Ｍ）は、上記頭部（１）の上記押し当て枠（４）を患部（Ｂ）に押し当てた際に、該押し当て枠（４）を該患部（Ｂ）に接近する方向へ弾発付勢する弾発部材（17）を有している請求項１又は２記載の治療片貼付具。
【請求項４】
上記押し当て枠（４）には、摩擦抵抗面部（７)(７）が配設されている請求項１、２又は３記載の治療片貼付具。
【請求項５】
上記押し当て枠（４）には、患部（Ｂ）の位置を探るための突起部（８）が配設されている請求項１、２、３又は４記載の治療片貼付具。
【請求項６】
上記握り柄部（２）の先端部には、複数の治療片剥がし突条（９）が設けられている請求項１、２、３、４又は５記載の治療片貼付具。
【発明の詳細な説明】
【技術分野】
【０００１】
本発明は、治療片貼付具に係り、特に、頭部と握り柄部とを備えた治療片貼付具に関する。
【背景技術】
【０００２】
一般に、打撲、筋肉痛、筋肉疲労、腰痛、肩凝り等の症状を緩和するために、身体の患部に治療片を貼り付ける。
しかしながら、患部が背中等の手の届きにくい場所にある場合、患者は自分自身で身体の患部に治療片を貼り付けるのが困難であるという不都合がある。そこで、従来、患部が背中等の手の届きにくい場所にある場合でも、自分自身で簡単に治療片を貼り付けることが可能な種々の治療片貼付具が開示されている（例えば、特許文献１参照）。
この特許文献１に開示された治療片貼付具は、粘着剤を塗布した頭部と握り柄部とを備えている。そして、粘着剤を塗布した頭部に治療片を貼り付け、握り柄部を持って頭部を患部に当てがうことにより、背中等の手の届きにくい場所に治療片を容易に貼り付けることを可能としている。
【特許文献１】特開２００３−１３５６０５号公報
【発明の開示】
【発明が解決しようとする課題】
【０００３】
しかしながら、上記特許文献１に開示された治療片貼付具では、身体に治療片貼付具の頭部を当てがうと同時に、治療片の粘着層にて治療片が身体に貼り付けられる。これにより、特許文献１の治療片貼付具では、一回の頭部の当てがいにより患部に治療片を貼り付ける必要があるという不都合があった。その結果、背中等の見えない場所に患部がある場合には、予め身体の患部の位置が正確にわかっている必要があり、治療片の患部への正確な貼り付けが困難となっていた。
そこで、本発明は、患部が手の届きにくく見えない場所にある場合でも、容易かつ正確に治療片を貼り付け得る治療片貼付具を提供することを目的とする。
【課題を解決するための手段】
【０００４】
上記の目的を達成するために、本発明に係る治療片貼付具は、頭部と握り柄部とを備え、該頭部は、身体対応面に治療片保持機構を有し、該治療片保持機構は、中央部に配設される磁性部材と、該磁性部材を囲むと共に上記身体対応面に直交する前後方向へ移動可能として設けられる押し当て枠と、を有している。
【０００５】
また、上記押し当て枠は、ベース部と、該ベース部に開閉自在に取着される枠体と、を有し、上記ベース部と該枠体との間に治療片の一部を挟持するように構成したものである。
また、上記治療片保持機構は、上記頭部の上記押し当て枠を患部に押し当てた際に、該押し当て枠を該患部に接近する方向へ弾発付勢する弾発部材を有している。
また、上記押し当て枠には、摩擦抵抗面部が配設されている。
また、上記押し当て枠には、患部の位置を探るための突起部が配設されている。
また、上記握り柄部の先端部には、複数の治療片剥がし突条が設けられている。
【発明の効果】
【０００６】
本発明の治療片貼付具によれば、治療片を背中等の手の届きにくく見えない患部の位置まで容易に持っていくことができる。
また、押し当て枠の枠内に治療片を保持させた状態で、押し当て枠を身体に当てがって患部の位置を探ることができる。
また、治療片を容易かつ正確に患部に貼り付けることができる。
また、治療片を、狙った場所にてスムーズに貼り付けることができる。
また、患部に治療片を貼り付ける際に、治療片が治療片保持機構に引っ掛かった状態にならないようにすることができる。また、治療片を面状に張力を付与しつつ患部に貼り付けることができ、しわを生じないようにすることができる。
また、背中等の手の届きにくい患部に貼り付けられた治療片を容易に剥がすことができる。
【発明を実施するための最良の形態】
【０００７】
以下、実施の形態を示す図面に基づき、本発明を詳説する。
図１は、本発明の実施の一形態に係る治療片貼付具の使用状態を示す説明図である。また、図２は、本発明に係る治療片貼付具の斜視図であり、図３は、一部破断側面図である。                                                  
本発明に係る治療片貼付具は、図１に示すように、患者が自分自身で、身体Ａの手の届きにくく見えない場所にある患部Ｂに、打撲、筋肉痛、筋肉疲労、腰痛、肩凝り等の症状を緩和するための治療片30を、容易かつ正確に貼り付けることができるものである。
本発明に係る治療片貼付具は、図２及び図３に示すように、（角部に丸みのある）平面視略矩形状の頭部１と握り柄部２とを備えている。
【０００８】
頭部１は、身体対応面１ａ側に開口した箱状の本体部10を有し、かつ、身体対応面１ａに治療片保持機構Ｍを有している。
本体部10は、押し当て枠収納部18と、弾発部材収納部19と、本体部10の開口端面に形成された複数の爪部16…と、を有している。弾発部材収納部19の側面視中央部には、取付部20が設けられている。
【０００９】
ここで、治療片保持機構Ｍは、治療片受部11と、中央部に配設される短円柱状の磁性部材３と、外形が平面視略矩形状である押し当て枠４と、弾発部材17と、を有している。
治療片受部11は、下方に縮径する段付となった円柱状の柱部11ａと、柱部11ａの上端面に形成された帯板部11ｂと、を有している。そして、柱部11ａの段付となった部分を本体部10の取付部20に接着することによって、治療片受部11は本体部10に取り付けられている。
【００１０】
磁性部材３は、例えば鉄鋼片から成る。この磁性部材３は、治療片受部11の上部に埋設等で固着されている。
押し当て枠４は、全体として浅い箱状となっており、内部に治療片30を保持可能とするものである。また、押し当て枠４は、本体部10の押し当て枠収納部18に嵌め込まれるように構成されている。この押し当て枠４は、ベース部５と、枠体６と、を有している。
ベース部５には、平面視矩形状の凹部５ａが形成されている（図４参照）。この凹部５ａを形成する面のうち底面部には、円状の孔部５ｂが形成されている。この孔部５ｂには、治療片受部11の柱部11ａが挿通されている。これにより、押し当て枠４は、磁性部材３を囲むと共に身体対応面１ａに直交する前後方向へ移動可能として設けられている。
【００１１】
なお、押し当て枠４のベース部５は、治療片受部11の帯板部11ｂにて、本体部10から分離しないように掛止されている。また、本体部10に設けられた爪部16…によって、押し当て枠４は、本体部10から分離しないように、かつ、本体部10に対して所定の角度以上に傾かないように、掛止されている。
【００１２】
図４は、治療片を治療片貼付具に保持させる際の状態を示す斜視図である。
枠体６は、図２〜図４に示すように、身体対応面１ａの握り柄部２側に設けられたヒンジ部12にて、ベース部５に開閉自在（揺動自在）に取着されている。この枠体６とベース部５との間に、治療片30の一部が挟持される。また、枠体６及びベース部５には、固定部材15ａ, 15ｂが設けられている。固定部材15ａ, 15ｂは、例えば一方が磁石により形成されると共に他方が磁性片により形成されている。そして、固定部材15ａと固定部材15ｂとの吸着によって、枠体６とベース部５が閉じられた状態を保持することが可能となっている。なお、この固定部材15ａ, 15ｂは、磁石及び磁性片に限るのではなく、掛止部材及び被掛止部材や、面状ファスナを使用するも好ましい。
【００１３】
枠体６は、略矩形枠状の基体部13と、基体部13の内周面に対向するように突設される一対の帯板部14, 14と、を有している。
基体部13は、揺動先端部の厚みが側面視で他の部分より厚く形成されている。即ち、身体対応面１ａ上に於て、基体部13の揺動先端部は、他の部分よりも隆起した形状となっている。
帯板部14, 14のベース部５と対向する側には、摩擦抵抗面部７, ７が配設されている。摩擦抵抗面部７, ７には、例えば多数のループ状の起毛を有するもの（面状ファスナ等）が使用される。そして、摩擦抵抗面部７, ７とベース部５との間に治療片30の外周部の一部が挟持されるように構成されている。
なお、摩擦抵抗面部７, ７は、多数のループ状の起毛を有するもの（面状ファスナ等）を使用するのに限るのではなく、他のものを使用するも自由である。例えば、フェルト生地を用いるも好ましい。
【００１４】
また、押し当て枠４には、患部Ｂの位置を探るための半球状の突起部８が形成されている。より具体的には、枠体６の身体対応面１ａ側かつ揺動先端部側に、突起部８が形成されている。
また、弾発部材17は、例えばコイルスプリングから成っている。この弾発部材17は、頭部１の押し当て枠４を患部Ｂに押し当てた際に、押し当て枠４を患部Ｂに接近する方向へ弾発付勢するものである（図５参照）。より具体的には、弾発部材17は、治療片受部11の柱部11ａに外嵌されると共に、押し当て枠４と本体部10の弾発部材収納部19との間に介装されている。そして、この弾発部材17は、押し当て枠４と本体部10とを相互に離間させる方向に弾発付勢している。
なお、弾発部材17は、コイルスプリングに限るのではなく、他のものを使用するも自由である。例えば、板ばねを使用するも好ましい。
【００１５】
握り柄部２は、頭部１の身体対応面１ａに対して適度な角度を持って延びるように、頭部１に連設されている。この握り柄部２の先端部には、複数の治療片剥がし突条９…が設けられている。より具体的に述べると、握り柄部２の先端部には、側面視台形状の隆起部21が形成されており、この隆起部21上に、側面視くさび状の治療片剥がし突条９…が設けられている。この治療片剥がし突条９…は、ゴム等の弾性部材にて形成されている。
【００１６】
次に、本発明に係る治療片貼付具の作動について説明する。
図５は、本発明に係る治療片貼付具の作動を説明するための断面図である。
まず、図４に示すように、治療片貼付具の枠体６を開いた状態にする。
そして、磁石部30ａを有する治療片30を使用する場合、治療片受部11に（粘着面を上にして）載置して、治療片30を、治療片受部11に埋設された磁性部材３に吸着させる。また、湿布片等の磁石部30ａを有しない治療片30を使用する場合、枠体６の帯板部14, 14に配設された摩擦抵抗面部７, ７に、治療片30を粘着面側で軽く貼り付ける。
【００１７】
次に、治療片貼付具の枠体６を図４中の矢印Ｃ方向に閉じて、図５（ａ）に示すように、ベース部５の凹部５ａと枠体６の摩擦抵抗面部７, ７との間に、治療片30の外周部の一部を挟持する。
そして、図１及び図５（ａ）に示すように、治療片30の外周部の一部が挟持された状態で、治療片貼付具の押し当て枠４を身体Ａに当てがう。
そして、押し当て枠４を身体Ａに当てがった状態で治療片貼付具を移動させ、患部Ｂの位置を手探りで探す。この際、押し当て枠４に設けられた突起部８（図２参照）を利用して、刺激を身体Ａに与えながら、患部Ｂの位置を探す。
【００１８】
患部Ｂの位置を探すことができたら、図５（ｂ）に示すように、治療片貼付具の頭部１を患部Ｂに押し当てる（図５（ｂ）の矢印Ｆ方向）。すると、押し当て枠４は、本体部10に対して、弾発部材17の弾発力に抗する方向（図５（ａ）の矢印Ｄ方向）に移動する。
押し当て枠４が移動すると、治療片受部11が相対的に治療片30の中央部を押すように移動する。これにより、挟持された治療片30の外周部の一部は、凹部５ａ及び摩擦抵抗面部７, ７と治療片30との間に生じる摩擦力に抗して挟持面から引抜かれる。                そして、挟持状態が解除された治療片30は、治療片受部11によって患部Ｂに押し当てられ、治療片30の粘着層によって患部Ｂに貼り付けられる。
【００１９】
なお、磁石部30ａを有する治療片30の大きさが小さい場合、枠体６とベース部５との間に治療片30を挟持させなくてもよい。この場合、治療片30を治療片受部11の磁性部材３に吸着させることによって、治療片30の治療片保持機構Ｍへの保持が可能となる。          また、押し当て枠４は、枠体６がベース部５に開閉自在に取着されているものに限るのではなく、ベース部５と枠体６が一体となった形状とするも好ましい。この場合に於ても、磁性部材３への治療片30の吸着にて治療片30を保持することが可能である。
【００２０】
以上のように、本発明に係る治療片貼付具は、頭部１と握り柄部２とを備え、頭部１は、身体対応面１ａに治療片保持機構Ｍを有し、治療片保持機構Ｍは、中央部に配設される磁性部材３と、磁性部材３を囲むと共に身体対応面１ａに直交する前後方向へ移動可能として設けられる押し当て枠４と、を有するように構成することによって、磁石部30ａを有する治療片30を磁性部材３に吸着させて、容易に治療片30を保持することができる。これにより、治療片30を治療片保持機構Ｍから脱落させることなく、治療片30を背中等の手の届きにくく見えない患部Ｂの位置まで容易に持っていくことができる。
【００２１】
また、磁性部材３を囲むと共に身体対応面１ａに直交する前後方向へ移動可能として設けられる押し当て枠４を有することによって、押し当て枠４の枠内に治療片30を保持させた状態で、押し当て枠４を身体Ａに当てがって患部Ｂの位置を探ることができる。また、患部Ｂに対する位置決めを行った後には、押し当て枠４を患部Ｂに押し当てて、押し当て枠４の枠内から治療片30を枠外へ露出させ、治療片30を容易かつ正確に患部Ｂに貼り付けることができる。
【００２２】
また、押し当て枠４を、ベース部５と、ベース部５に開閉自在に取着される枠体６と、を有し、ベース部５と枠体６との間に治療片30の一部を挟持するように構成することによって、磁石部30ａを有する治療片30のみならず、例えば湿布片等の磁石部30ａを有しない治療片30を容易に治療片保持機構Ｍに保持させることができる。これにより、湿布片等の磁石部30ａを有しない治療片30を、容易かつ正確に患部Ｂに貼り付けることができる。
【００２３】
また、治療片保持機構Ｍを、頭部１の押し当て枠４を患部Ｂに押し当てた際に、押し当て枠４を患部Ｂに接近する方向へ弾発付勢する弾発部材17を有するように構成することによって、適度な力を押し当て枠４に加えた場合に治療片30が患部Ｂに貼り付けられるように構成することができる。その結果、治療片30を、狙った場所にてスムーズに貼り付けることができる。
【００２４】
また、押し当て枠４に摩擦抵抗面部７, ７を配設することによって、治療片保持機構Ｍに保持させた治療片30が容易に治療片保持機構Ｍから脱落しないようにすることができる。また、押し当て枠４が、ベース部５と枠体６とを有する場合には、ベース部５と枠体６との挟持面に摩擦抵抗面部７, ７を配設することによって、挟持面から治療片30を引抜く際に適度な摩擦力を治療片30と挟持面との間に働かせることができる。これにより、患部Ｂに治療片30を貼り付ける際に、治療片30が治療片保持機構Ｍに引っ掛かったりする状態にならないようにすることができる。さらに、治療片30を面状に張力を付与しつつ患部Ｂに貼り付けることができ、治療片30にしわが生じないようにすることができる。
【００２５】
また、押し当て枠４に患部Ｂの位置を探るための突起部８を配設することによって、突起部８を身体Ａに当てがって身体Ａを刺激しながら患部Ｂの位置を探ることができる。これにより、突起部８を有さない場合と比較して、より容易かつ正確に、患部Ｂの位置を探ることができる。
また、上記握り柄部２の先端部に複数の治療片剥がし突条９を設けることによって、頭部を持って、背中等の手の届きにくい患部Ｂに貼り付けられた治療片30を容易に剥がすことができる。  
【図面の簡単な説明】
【００２６】
【図１】本発明の実施の一形態に係る治療片貼付具の使用状態を示す説明図である。
【図２】本発明に係る治療片貼付具の斜視図である。
【図３】一部破断側面図である。
【図４】治療片を療片貼付具に保持させる際の状態を示す斜視図である。
【図５】図２のＸ−Ｘ線に沿った、本発明に係る治療片貼付具の作動を説明するための断面図である。
【符号の説明】
【００２７】
１  頭部
１ａ  身体対応面
２  握り柄部
３  磁性部材
４  押し当て枠
５  ベース部
６  枠体
７  摩擦抵抗面部
８  突起部
９  治療片剥がし突条
17  弾発部材
30  治療片
Ｂ  患部
Ｍ  治療片保持機構
【図１】
2006014915.tif 000003
【図２】
2006014915.tif 000004
【図３】
2006014915.tif 000005
【図４】
2006014915.tif 000006
【図５】
2006014915.tif 000007